(57)【特許請求の範囲】
【請求項１】
上下動自在な上型と、前記上型の下方に設置された下型との間で圧着端子の圧着爪をカシメることにより、前記圧着端子を電線の端部に圧着固定する圧着端子圧着装置であって、前記上型を構成する圧着駒の近傍に、前記圧着端子に突設された係止爪の先端を外側へ小円弧状に成形する成形駒を設けるとともに、前記下型の近傍に、前記圧着端子を下方より支持し、かつ前記係止爪の先端を成形する際、反力で前記係止爪が移動するのを阻止する受け面を備えた受け台を設けたことを特徴とする圧着端子圧着装置。
【請求項２】
上下動自在な上型と、前記上型の下方に設置された下型との間で圧着端子の圧着爪をカシメることにより、前記圧着端子を電線の端部に圧着固定する圧着金型であって、前記上型を構成する圧着駒の近傍に、それぞれ誘い込み溝を有する一方の成形駒と他方の成形駒とを設け、前記一方の成形駒の先端部に、前記他方の成形駒とほぼ同じ肉厚となるように前記他方の成形駒と対向する面に段部を形成し、前記一方の成形駒と前記他方の成形駒とを重ねて、前記一方の成形駒と前記他方の成形駒の先端部間に隙間を形成し、前記一方の成形駒に、前記誘い込み溝の上部周縁に突設形成されていて、下部側の肉厚が薄く、上部側に行くに従って順次肉厚が厚くなる成形部を設け、かつ、前記他方の成形駒に、前記誘い込み溝の周縁部をほぼ全辺に亘って角部を小円弧状に面取りすることにより形成される形成部を設け、前記一方の成形駒の成形部と前記他方の成形駒の成形部との間に、前記圧着端子に突設された係止爪の肉厚にほぼ等しい隙間を生じさせて、前記上型の下降とともに、前記係止爪の先端を小円弧状に成形することを特徴とする圧着金型。
【発明の詳細な説明】
【０００１】
【発明の属する技術分野】
本発明は電線の端部に圧着端子を圧着固定する圧着端子圧着装置及び圧着に使用する圧着金型に関する。
【０００２】
【従来の技術】
従来電子機器等に使用されているコネクタの多くは、図１４に示すようにハウジングａ内に複数の圧着端子ｂが設けられた構造となっている。
【０００３】
前記圧着端子ｂは図１３に示すように、筒状の胴部ｃと、この胴部ｃの一端側に設けられたピン部ｄ及び胴部ｃの他端側に設けられた圧着爪ｅより構成されていて、全体が導電性を有する金属により一体成形されており、胴部ｃの外周面には、軸線方向に一対の係止爪ｆがほぼハ字形に切起し形成されている。
【０００４】
前記構成の圧着端子ｂは、圧着爪ｅ側の端部が帯状体ｇにより鎖状に連設されていて、図１２に示す圧着装置ｈを使用して、電線ｉの端部に圧着固定している。
【０００５】
また従来の圧着装置ｈは、図示しないプレスにより上下駆動されるスライドｊを有していて、このスライドｊの下部に取付けられた上型ｋの圧着駒ｍと、上型ｋの下方に固定された下型ｎの間で圧着端子ｂの圧着爪ｅをカシメることにより、被覆の剥離された電線ｉの端部に圧着固定すると同時に、帯状部ｇより圧着端子ｂを切離すように構成されている。なおｏは圧着端子ｂを水平に保持する受け台である。
【０００６】
そして電線ｉの端部に圧着された圧着端子ｂをハウジングａの一端側よりハウジングａ内へ圧入すると、胴部ｃより切起された係止爪ｆの先端が図１４に示すようにハウジングａ内の係止段部ｐに係合され、これによって電線ｉに引っ張り力Ｄが作用しても、ハウジングａ内より圧着端子ｂが抜け外れないようになっている。
【０００７】
【発明が解決しようとする課題】
しかし前記従来の圧着端子ｂでは、胴部ｃより切起された係止爪ｆの先端側が図１４に示すようにほぼハ字形に開脚されているため、圧着作業の間や、圧着端子の圧着された電線ｉを次の組立て工程へ搬送している間に、係止爪ｆが異常に広げられたり、狭められたりすることがよくある。
【０００８】
異常に広げられた係止爪ｆは、係止爪ｆが折損しない限り、元の角度に押し縮めてハウジングａ内へ圧入することにより、ハウジングａ内より圧着端子ｂが抜け外れることはないが、角度が狭められた係止爪ｆを気付かずにハウジングａ内に圧入した場合、段部ｐに面ダレｑなどがあると係止爪ｆの先端がハウジングａの段部ｐに係止されなくなり、その結果コネクタの使用中にハウジングａ内より圧着端子ｂが抜け外れて使用不能になったり、システムなどに使用されているコネクタでは、システムが正常に動作しなくなるなどの問題がある。
【０００９】
また圧着端子ｂをハウジングａに組込む際係止爪ｆの異常に気付いた場合は、作業者がヤットコなどの工具を使用して係止爪ｆを図１３の仮想線で示すように補修しているが、補修作業に手間がかかるため、作業能率が悪いなどの問題もある。
【００１０】
本発明はかかる従来の問題点を改善するためになされたもので、圧着端子を電線の端部に圧着する際、係止爪の先端を同時に成形する圧着端子圧着装置及び圧着金型を提供して、圧着端子がコネクタのハウジング内より抜け外れるのを未然に防止することを目的とするものである。
【００１１】
【課題を解決するための手段】
前記目的を達成するため本発明の圧着端子圧着装置は、上下動自在な上型と、前記上型の下方に設置された下型との間で圧着端子の圧着爪をカシメることにより、前記圧着端子を電線の端部に圧着固定する圧着端子圧着装置であって、前記上型を構成する圧着駒の近傍に、前記圧着端子に突設された係止爪の先端を外側へ小円弧状に成形する成形駒を設けるとともに、前記下型の近傍に、前記圧着端子を下方より支持し、かつ前記係止爪の先端を成形する際、反力で前記係止爪が移動するのを阻止する受け面を備えた受け台を設けたものである。
【００１２】
前記構成により、電線の端部に圧着された圧着端子をコネクタのハウジング内に圧入すると、ハウジング内の係止段部に圧着端子の係止爪の先端が確実に係止されるため、電線に引っ張り力が作用しても、ハウジング内より圧着端子が抜け外れることがなく、これによってコネクタが使用できなくなったり、システムが正常に動作しなくなるなどの問題を解消することができる。
【００１３】
また圧着作業の工程中や、圧着端子の圧着された電線を次の組立て工程へ搬送している間に、係止爪が異常に広げられたり、狭められたり、係止段部に面ダレなどがあっても、係止爪の先端が予め小円弧状に成形されているため、係止爪の先端を確実にハウジング内の係止段部に係止することができると共に、工具などを使用して係止爪の先端を補修するなどの作業を必要としないので、組立て時の作業性も大変よい。
【００１５】
また、前記構成により、係止爪を成形する際、成形時の反力により圧着端子が移動することがないので、係止爪の先端を所定の形状に正確に成形することができる。
【００１６】
前記目的を達成するため本発明の圧着金型は、上下動自在な上型と、前記上型の下方に設置された下型との間で圧着端子の圧着爪をカシメることにより、前記圧着端子を電線の端部に圧着固定する圧着金型であって、前記上型を構成する圧着駒の近傍に、それぞれ誘い込み溝を有する一方の成形駒と他方の成形駒とを設け、前記一方の成形駒の先端部に、前記他方の成形駒とほぼ同じ肉厚となるように前記他方の成形駒と対向する面に段部を形成し、前記一方の成形駒と前記他方の成形駒とを重ねて、前記一方の成形駒と前記他方の成形駒の先端部間に隙間を形成し、前記一方の成形駒に、前記誘い込み溝の上部周縁に突設形成されていて、下部側の肉厚が薄く、上部側に従って順次肉厚が厚くなる成形部を設け、かつ、前記他方の成形駒に、前記誘い込み溝の周縁部をほぼ全辺に亘って角部を小円弧状に面取りすることにより形成される形成部を設け、前記一方の成形駒の成形部と前記他方の成形駒の成形部との間に、前記圧着端子に突設された係止爪の肉厚にほぼ等しい隙間を生じさせて、前記上型の下降とともに、前記係止爪の先端を小円弧状に成形するものである。
【００１７】
前記構成により、圧着駒により圧着爪をカシメる際、同時に係止爪の先端を円弧状に成形することができ、これによって工程数が増すことがないため生産性が低下することもない。
【００１８】
【発明の実施の形態】
本発明の実施の形態を図１ないし図１１に示す図面を参照して詳述する。
【００１９】
図１は圧着端子圧着装置を示すもので、ほぼＣ字形に形成された本体１の上部に、図示しないプレスなどにより上下駆動されるスライド２が設けられている。
【００２０】
スライド２には圧着金型３の上型４が固着具９により着脱自在に取付けられており、上型４の下方には、本体１の基台１ａ上に下型５と受け台６が設置されていて、下型５と受け台６上に水平に圧着端子７を載置した状態で、スライド２により上型４を下降させることにより、被覆が剥離された電線８の端部に圧着端子７を圧着固定できるようになっている。
【００２１】
圧着端子７は図２の（イ）及び（ロ）に示すように、筒状の胴部７ａと、胴部７ａの一端側に設けられたピン部７ｂ及び胴部７ａの他端側に形成された圧着爪７ｃより構成されていて、全体が導電性を有する金属により一体成形されている。
【００２２】
また胴部７ａの外周面には、一端側がピン部７ｂ側で胴部７ａに連設された一対の係止爪７ｄがほぼハ字形に切起し形成されていると共に、圧着爪７ｃ側の端部は帯状部７ｅにより鎖状に連設されている。
【００２３】
圧着端子７の圧着爪７ｃを下型５との間でカシメて電線８の端部に圧着端子７を圧着固定する上型４は、圧着駒４ａと、２枚の成形駒４ｂ，４ｃとよりなる。
【００２４】
これら圧着駒４ａと成形駒４ｂ，４ｃはほぼ逆凸字形に形成されていて、圧着駒４ａは下型５及び受け台６上に水平に載置された圧着端子７の圧着爪７ｃ上方に位置するようスライド２に取付けられ、成形駒４ｂ，４ｃは圧着端子７の係止爪７ｄ上方に位置するようスライド２に取付けられている。
【００２５】
圧着駒４ａ及び成形駒４ｂ，４ｃの先端側には、ほぼ逆Ｕ字形の誘い込み溝４ｄ，４ｅ，４ｆが形成されていて、各誘い込み溝４ｄ，４ｅ，４ｆの先端側開放部は、先端側へ順次幅広となるテーパに形成されており、圧着駒４ａのテーパ部４ｇにより圧着端子７の圧着爪７ｃをカシメるようになっている。
【００２６】
成形駒４ｂ，４ｃは図３に示すように、圧着駒４ａ側の成形駒４ｂがやや厚肉となっており、この成形駒４ｂの先端部は他方の成形駒４ｃとほぼ同じ肉厚となるよう成形駒４ｃと対向する面に段部４ｈが形成されている。
【００２７】
これによって各成形駒４ｂ，４ｃを重ねてスライド２に取付けた際、各成形駒４ｂ，４ｃの先端部間に隙間４ｉが生じるようになっていると共に、成形駒４ｂ，４ｃの対向面には図４及び図５に示すように成形部４ｊ，４ｋが形成されている。
【００２８】
成形駒４ｂの成形部４ｊは、誘い込み溝４ｅの上部周縁に突設形成されていて、下部側の肉厚が薄く、かつ上部側に行くに従って順次肉厚が厚くなっている。
【００２９】
また成形駒４ｃの成形部４ｋは、誘い込み溝４ｆの周縁部をほぼ全辺に亘って角部を小円弧状に面取りすることにより形成されていて、スライド２が下死点に達したときに図１０に示すように成形駒４ｂの成形部４ｊと成形駒４ｃの成形部４ｋの間に、係止爪７ｄの肉厚にほぼ等しい隙間４ｍが生じるようになっている。
【００３０】
一方本体１の基台１ａに設置された下型５は、圧着端子７の圧着爪７ｃ部を下方より支持する平面部５ａと、圧着駒４ａとの間で帯状部７ｅより圧着端子７を切離す切断部５ｂとを有しており、下型５との間で圧着端子７を水平に保持する受け台６には、図６に示すように上面に圧着端子７のピン部７ｂが嵌合するＶ溝６ａが形成されている。
【００３１】
受け台６の奥側上面には、成形駒４ｂ，４ｃにより係止爪７ｄを成形する際、その反力で圧着端子７が奥側へ移動するのを阻止する受け面６ｂが形成されていると共に、受け面６ｂの圧着端子７搬入側角部には、搬入された圧着端子７のピン部７ｂ先端が受け面６ｂと干渉しないようテーパ面６ｃが形成されている。
【００３２】
また本体１の基台１ａ上には、ワーク送り手段１０が設置されていて、このワーク送り手段１０により帯状部７ｅを間欠送りすることにより、帯状部７ｅに鎖状に連設された圧着端子７を圧着位置へ搬入できるようになっている。
【００３３】
次に前記構成された圧着端子圧着装置の作用を説明すると、圧着端子７は予め帯状部７ｅにより一定の間隔で鎖状に連接された状態で、図１に示す圧着端子圧着装置の左側より本体１内に搬入され、ワーク送り手段１０によって圧着位置へ間欠送りされる。
【００３４】
圧着端子７の１個が圧着位置に搬送されたら、作業者は端部の被覆が予め剥離された電線８の端部を図１に示すように圧着端子７の各圧着爪７ｃの間に挿入し、この状態でプレスの運転スイッチ（図示せず）を操作すると、プレスにより本体１上部のスライド２が下降され、スライド２の下部に取付けられた上型３の圧着駒４ａと下型５の間で圧着爪７ｃがカシメられて、圧着端子７が電線８の端部に圧着固定される。
【００３５】
また前記圧着動作中に、圧着駒４ａの後側に併設された成形駒４ｂ、４ｃにより圧着端子７の係止爪７ｄが次のように成形される。
【００３６】
すなわち成形駒４ｂ、４ｃが圧着駒４ａとともに下降されて、各成形駒４ｂ、４ｃが圧着端子７に対して図７のＡ−Ａ線で示す断面位置に達すると、図９に示すように一方の成形駒４ｂに突設された成形部４ｊが係止爪７ｄの内側に当接され、また他方の成形駒４ｃに形成された成形部４ｋが係止爪７ｄの外側に当接される。
【００３７】
そしてこの状態でさらに成形駒４ｂ、４ｃが下降されて、圧着端子７に対して図７のＢ−Ｂ線に示す断面位置に達すると、成形駒４ｂの成形部４ｊの高さが増すに従い、図１０に示すように成形駒４ｂの成形部４ｊにより係止爪７ｄの先端が成形駒４ｃの成形部４ｋに圧接されるため、係止爪７ｄの先端が成形駒４ｃの成形部４ｋの形状に沿って外側へ小円弧状に成形される。
【００３８】
またこの時の成形反力により圧着端子７は成形駒４ｃ方向へ移動しようとするが、圧着端子７の先端は受け台６の受け面６ｂに当接されていて移動が阻止されているため、成形駒４ｂの成形部４ｊと、成形駒４ｃの成形部４ｋの間で係止爪７ｄの先端が所定の形状に正確に成形されるようになる。
【００３９】
上型４が下死点に達して圧着爪７ｃと係止爪７ｄの成形が完了し、圧着駒４ａと下型５の切断部５ｂの間で帯状部７ｅより圧着端子７が切離されると、スライド２とともに上型４が上昇を開始すると共に、上型４が上死点に達するまでの間に送り手段１０によって次の圧着端子７が圧着位置へ搬送されるので、以下前記動作を繰り返すことにより、電線８の端部に次々と圧着端子７を圧着固定することができるようになる。
【００４０】
また電線８に圧着された圧着端子７は、係止爪７ｄの先端が外側に小円弧状に成形されているため、図１１に示すようにコネクタのハウジング１２内に圧入した際、係止爪７ｄの先端が確実にハウジング１２内の係止段部１２ａに係止され、これによって電線８に引っ張り力Ｃが作用しても、ハウジング１２内より圧着端子７が抜け外れることがないと共に、係止段部１２ａの角部に面ダレ１２ｂがあっても、係止爪７ｄの先端を確実に係止段部１２ａに係止することができるようになる。
【００４１】
なお本体１に対してスライド２及び上型４を簡単に取り外すことができるので、圧着端子７やコネクタの種類に応じて圧着駒４ａ及び成形駒４ｂ、４ｃを選択することにより、最適な形状に係止爪７ｄの先端を成形することができるようになる。
【００４２】
【発明の効果】
本発明は以上詳述したように、圧着駒により圧着端子の圧着爪をカシメて圧着端子を電線の端部に圧着固定する際、圧着端子に突設された係止爪の先端を成形駒により外側へ小円弧状に成形するようにしたことから、電線の端部に圧着された圧着端子をコネクタのハウジング内に圧入すると、ハウジング内の係止段部に圧着端子の係止爪の先端が確実に係止されるため、電線に引っ張り力が作用しても、ハウジング内より圧着端子が抜け外れることがなく、これによってコネクタが使用できなくなったり、システムが正常に動作しなくなるなどの問題を解消することができる。
【００４３】
また圧着作業の工程中や、圧着端子の圧着された電線を次の組立て工程へ搬送している間に、係止爪が異常に広げられたり、狭められたり、係止段部に面ダレなどがあっても、係止爪の先端が予め小円弧状に成形されているため、係止爪の先端を確実にハウジング内の係止段部に係止することができると共に、工具などを使用して係止爪の先端を補修するなどの作業を必要としないので、組立て時の作業性も大変よい。
【００４４】
さらに下型の近傍に、圧着端子を下方より支持し、かつ係止爪の先端を成形する際、係止爪が移動するのを阻止する受け台を設けたことから、係止爪を成形する際、成形時の反力により圧着端子が移動することないので、係止爪の先端を所定の形状に正確に成形することができると共に、係止爪の先端を成形する上型を、係止爪の先端に内側より当接する成形部と、係止爪の先端に外側より当接する成形部を有し、かつ上型の下降とともに、各成形部の間で係止爪の先端を小円弧状に成形する成形駒により構成したことから、圧着駒により圧着爪をカシメる際、同時に係止爪の先端を円弧状に成形することができ、これによって工程数が増すことがないため生産性が低下することもない。
【図面の簡単な説明】
【図１】本発明の実施の形態になる圧着端子圧着装置の全体的な斜視図である。
【図２】（イ）は本発明の実施の形態になる圧着端子圧着装置で圧着する圧着端子の平面図である。
（ロ）は本発明の実施の形態になる圧着端子圧着装置で圧着する圧着端子の側面図である。
【図３】本発明の実施の形態になる圧着端子圧着装置で使用する圧着金型の斜視図である。
【図４】本発明の実施の形態になる圧着端子圧着装置に使用する成形駒の斜視図である。
【図５】本発明の実施の形態になる圧着端子圧着装置に使用する成形駒の斜視図である。
【図６】本発明の実施の形態になる圧着端子圧着装置に使用する受け台の斜視図である。
【図７】本発明の実施の形態になる圧着端子圧着装置に使用する成形駒の作用説明図である。
【図８】本発明の実施の形態になる圧着端子圧着装置に使用する成形駒の作用説明図である。
【図９】図７のＡ−Ａ線に沿う断面図である。
【図１０】図７のＢ−Ｂ線に沿う断面図である。
【図１１】本発明の実施の形態になる圧着端子圧着装置により電線に圧着された圧着端子をコネクタのハウジング内に挿入した状態の断面図である。
【図１２】従来の圧着端子圧着装置を示す斜視図である。
【図１３】従来の圧着端子を示す斜視図である。
【図１４】従来の圧着端子を使用したコネクタを示す断面図である。
【符号の説明】
４      上型
４ａ    圧着駒
４ｂ    成形駒
４ｃ    成形駒
４ｊ    成形部
４ｋ    成形部
５      下型
６      受け台
７      圧着端子
７ｃ    圧着爪
７ｄ    係止爪
８      電線
【図１】
0004403256.tif 000002
【図２】
0004403256.tif 000003
【図３】
0004403256.tif 000004
【図４】
0004403256.tif 000005
【図５】
0004403256.tif 000006
【図６】
0004403256.tif 000007
【図７】
0004403256.tif 000008
【図８】
0004403256.tif 000009
【図９】
0004403256.tif 000010
【図１０】
0004403256.tif 000011
【図１１】
0004403256.tif 000012
【図１２】
0004403256.tif 000013
【図１３】
0004403256.tif 000014
【図１４】
0004403256.tif 000015